(57)【要約】【課題】通話品質を劣化させるエコー及びハウリングの発生を抑制して良好な通話性能を実現する携帯端末装置を提供すること。【解決手段】携帯端末装置１００は、背面筐体１２０と、背面筐体１２０の背面の全面を覆う電池カバー１３０と、を備え、背面筐体１２０の背面にマイク１７０の音孔１２５とスピーカ１５０のスピーカ音孔１２４とが同一面で配置される。背面筐体１２０は、マイク１７０の音孔１２５の周囲の、少なくともスピーカ１５０側に、凹形状の溝部１２９を備え、電池カバー１３０は、溝部１２９に嵌合する凸形状の突起部１３９を備える。【選択図】図２
2012195835.tif 000002
【特許請求の範囲】
【請求項１】
筐体と、前記筐体の背面を覆う電池カバーと、前記筐体の背面にマイクの音孔とスピーカの音孔とが同一面で配置され、前記筐体の背面と前記電池カバーとの間に空隙を有する携帯端末装置であって、
前記筐体は、前記マイクの音孔と前記スピーカの音孔との間に凹部を備え、
前記電池カバーは、前記凹部に嵌合して、前記空隙を塞ぐ凸部を備える、携帯端末装置。
【請求項２】
前記筐体は、前記マイクの音孔を、前記筐体の端部側を除く三面で囲う、前記凹部を備える、請求項１記載の携帯端末装置。
【請求項３】
前記筐体は、前記凹部に埋設された弾性体を備え、
前記電池カバーは、前記弾性体を介して前記凹部に嵌合する、請求項１記載の携帯端末装置。
【請求項４】
前記筐体は、
前記スピーカの音孔に隣接した開口部を有し、
前記スピーカの音孔と前記開口部との間に、前記凹部の溝又は幅より、溝又は幅が大きい第２凹部を備え、
前記電池カバーは、
前記第２凹部に嵌合する第２凸部を備える、請求項１記載の携帯端末装置。
【発明の詳細な説明】
【技術分野】
【０００１】
本発明は、マイクの音孔とスピーカの音孔とが同一面で配置された携帯電話機末などの携帯端末装置に関する。
【背景技術】
【０００２】
携帯電話機等の携帯端末装置には、筐体にマイクが組み込まれている。例えば、操作部筐体に対して表示部筐体をスライドさせて使用する携帯電話端末は、マイクの開口孔を操作部筐体の底面に配置している。そのため、本体が収縮状態の時に通話を行うと、スピーカからの通話相手の音声が表示部筐体の上部を回り込んで表示部筐体と操作部筐体との隙間に侵入する。隙間に進入した通話相手の音声は、２つの筐体間を反射することによりマイクに入り易く、その結果、通話相手に通話相手自身が発した音声が聞こえる現象（以下、エコーと呼ぶ）が発生する。
【０００３】
スピーカ−マイク間において音／振動による結合が発生すると、通話相手側では、自分の声が自分の耳に戻ってくるエコーが発生する。
【０００４】
特許文献１には、操作部筐体に対して表示部筐体をスライド可能な携帯電話端末が記載されている。特許文献１記載の携帯電話端末は、操作部筐体上に搭載されるマイク周囲に表示部筐体方向に突起を設けるとともに、スライド収縮時に前記の操作部筐体の突起部に対向する表示部筐体部分に操作部筐体方向に突起部を設け、二つの対向した突起によりマイク周囲に壁を形成している。これにより、通話時のエコーの発生を抑制させている。
【先行技術文献】
【特許文献】
【０００５】
【特許文献１】特開２００６−１３５８８９号公報
【発明の概要】
【発明が解決しようとする課題】
【０００６】
しかしながら、筐体にマイクが組み込まれた装置にあっては、以下のような課題がある。
【０００７】
特許文献１記載の携帯電話端末は、カメラ機能を有する端末において見受けられる形状である。この棒状の形状の端末は、スピーカ部の発音方向と、マイク部の集音方向とが同一方向に構成される場合、筐体部と電池カバー部との間の空間を主経路とする音の回り込みにより、通話品質を劣化させるエコーやハウリングが発生しやすいという課題を有している。
【０００８】
また、特許文献１記載の携帯電話端末は、特定条件下でのエコーの抑制には効果を発揮するものの、他方向からの音の回り込みや、筐体振動による信号伝達が存在した場合には、効果が少ないという課題を有している。上記特定条件下とは、スライド構造の端末に対しての構成の場合、また特定方向からの音の回り込みにのみ有効であることをいう。
【０００９】
さらに、特許文献１記載の携帯電話端末は、使用者の操作により頻繁に摺動を繰り返す部分に突起が配置されていることから、摩耗による性能劣化が発生しやすいという課題も有している。
【００１０】
本発明の目的は、通話品質を劣化させるエコー及びハウリングの発生を抑制して良好な通話性能を実現する携帯端末装置を提供することである。
【課題を解決するための手段】
【００１１】
本発明の携帯端末装置は、筐体と、前記筐体の背面を覆う電池カバーと、前記筐体の背面にマイクの音孔とスピーカの音孔とが同一面で配置され、前記筐体の背面と前記電池カバーとの間に空隙を有する携帯端末装置であって、前記筐体は、前記マイクの音孔と前記スピーカの音孔との間に凹部を備え、前記電池カバーは、前記凹部に嵌合して、前記空隙を塞ぐ凸部を備える、構成を採る。
【発明の効果】
【００１２】
本発明によれば、通話品質を劣化させるエコー及びハウリングの発生を抑制して良好な通話性能が可能な携帯端末装置を実現することができる。
【図面の簡単な説明】
【００１３】
【図１】本発明の実施の形態１に係る携帯端末装置の電池カバーを取り付けた状態を示す背面図
【図２】図１のＡ−Ａ断面図を備える電子機器の概略構成を示す斜視図
【図３】図１のＢ−Ｂ断面図
【図４】図１のＣ−Ｃ断面図
【図５】本発明の実施の形態２に係る携帯端末装置の電池カバーを取り付けた状態を示す背面図
【図６】図５のＡ−Ａ断面図を備える電子機器の概略構成を示す斜視図
【図７】図５のＢ−Ｂ断面図
【図８】図５のＣ−Ｃ断面図
【図９】本発明の実施の形態３に係る携帯端末装置の電池カバーを取り付けた状態を示す背面図
【図１０】図９のＡ−Ａ断面図を備える電子機器の概略構成を示す斜視図
【図１１】図９のＢ−Ｂ断面図
【図１２】図９のＣ−Ｃ断面図
【図１３】本発明の実施の形態４に係る携帯端末装置の電池カバーを取り付けた状態を示す背面図
【図１４】図１３のＡ−Ａ断面図を備える電子機器の概略構成を示す斜視図
【図１５】図１３のＢ−Ｂ断面図
【図１６】図１３のＣ−Ｃ断面図
【図１７】本発明の実施の形態５に係る携帯端末装置の電池カバーを取り付けた状態を示す背面図
【図１８】図１７のＡ−Ａ断面図を備える電子機器の概略構成を示す斜視図
【図１９】図１７のＢ−Ｂ断面図
【図２０】図１７のＣ−Ｃ断面図
【図２１】本発明の実施の形態６に係る携帯端末装置の電池カバーを取り付けた状態を示す背面図
【図２２】図２１のＡ−Ａ断面図を備える電子機器の概略構成を示す斜視図
【図２３】図２１のＢ−Ｂ断面図
【図２４】図２１のＣ−Ｃ断面図
【発明を実施するための形態】
【００１４】
以下、本発明の実施の形態について図面を参照して詳細に説明する。
【００１５】
（実施の形態１）
図１は、本発明の実施の形態１に係る携帯端末装置の電池カバーを取り付けた状態を示す背面図である。図２は、図１のＡ−Ａ断面図、図３は、図１のＢ−Ｂ断面図、図４は、図１のＣ−Ｃ断面図である。以下、本発明に係る携帯端末装置を、カメラ付き携帯電話機／ＰＨＳ（Personal Handy-Phone System）の携帯通信端末で具現化する。また、ＰＤＡ（Personal Digital Assistants）等の携帯情報端末に適用してもよい。
【００１６】
図１乃至図４に示すように、携帯端末装置１００は、前面筐体１１０と、背面筐体１２０と、電池カバー１３０と、プリント基板１４０と、スピーカ１５０と、カメラ１６０と、マイク１７０と、を備える。
【００１７】
携帯端末装置１００は、電池部分を塞ぐための蓋部分について、電池カバー１３０が背面筐体１２０全面を覆う形状である。なお、この形状は、携帯端末装置１００のデザイン性を向上させることができる。
【００１８】
図１に示すように、携帯端末装置１００は、電池カバー１３０が背面筐体１２０に取り付けられ、背面筐体１２０は露出していない。
【００１９】
スピーカ１５０は、背面筐体１２０の上部の中央やや左側に配置され、カメラ１６０は、その右隣りに配置されている。スピーカ１５０は、ハンズフリー通話用のラウドスピーカ配置を含み、耳に当てて使用するレシーバ用途には限定されない。
【００２０】
カメラ１６０は、ユーザが携帯端末装置１００をカメラとして使用する場合、手がカメラを塞がない位置に配置されている。
【００２１】
図２乃至図４に示すように、プリント基板１４０は、前面筐体１１０内部に収容されている。プリント基板１４０には、スピーカ１５０、カメラ１６０、及びマイク１７０が取り付けられている。マイク１７０は、手に持って使用する場合、口の位置に配置される。なお、マイク１７０は、ハンズフリー通話に対応するようにスピーカ１５０と同一面に配置されていれば、上記配置に限定されるものではない。
【００２２】
背面筐体１２０は、プリント基板１４０上に取り付けられた、スピーカ１５０を収容する開口部１２１と、カメラ１６０を収容する開口部１２２と、マイク１７０を収容する開口部１２３と、が形成されている。各開口部１２１，１２２，１２３は、背面筐体１２０の裏面に形成された各部品の外形形状と略同一であり、各部品が隙間なく収容される。
【００２３】
背面筐体１２０には、スピーカ１５０に連通し電池カバー１３０側に開口するスピーカ１５０のスピーカ音孔１２４が形成されている。スピーカ音孔１２４は、図１に示すように、携帯端末装置１００長径方向に長い長方形である。
【００２４】
背面筐体１２０には、マイク１７０の音孔１２５が形成されている。また背面筐体１２０の下部は、底面に向かって開口部１２６が形成されている。このため、背面筐体１２０の下部表面と電池カバー１３０の裏面間には、隙間１２７が画成され、この隙間１２７が、携帯端末装置１００底部から隙間１２７、音孔１２５乃至マイク１７０までの集音経路となる。
【００２５】
電池カバー１３０には、背面筐体１２０のカメラ１６０を収容する開口部１２２と略同一形状の開口部１３２が形成され、開口部１３２は、開口部１２２と、位置、形状及び大きさが対応している。
【００２６】
また、電池カバー１３０には、背面筐体１２０のスピーカ音孔１２４と連通する電池カバー音孔１３４が形成され、電池カバー音孔１３４は、背面筐体１２０と、位置、形状及び大きさが対応している。
【００２７】
このように、携帯端末装置１００は、電池カバー１３０が、背面筐体１２０に対して全面を覆う構成であり、かつ、背面筐体１２０に収容されたスピーカ１５０のスピーカ音孔１２４とマイク１７０のマイク音孔１２５とが同一方向となるように配置されている。すなわち、携帯端末装置１００は、スピーカ１５０の発音方向と、マイク１７０の集音方向とが同一方向に配置されている。
【００２８】
また、背面筐体１２０と電池カバー１３０との間には、空間１２８が形成されている。上記空間１２８は、背面筐体１２０全面を電池カバー１３０で覆う場合、電池や各部品の高さ・収納スペースの不一致及び開閉の余裕度を持たせる必要性から生まれる。
【００２９】
以上の構成において、本実施の形態の特徴は下記の通りである。
【００３０】
背面筐体１２０には、マイク音孔１２５周囲に凹形状の溝部１２９が形成されている。また、電池カバー１３０には、溝部１２９に対向する位置に、溝部１２９が嵌合する凸形状の突起部１３９が形成されている。
【００３１】
すなわち、本実施の形態の携帯端末装置１００は、背面筐体１２０に、マイク音孔１２５周囲に凹形状の溝部１２９を形成し、電池カバー１３０に、溝部１２９に嵌合する凸形状の突起部１３９を形成することを特徴とする。
【００３２】
本実施の形態では、溝部１２９は、背面筐体１２０の底部が開口しマイク音孔１２５周囲をコの字型に囲むように形成される。溝部１２９に嵌合する突起部１３９についても同様に、溝部１２９に嵌合するようコの字型に形成される。溝部１２９及び突起部１３９は、少なくともスピーカ１５０側の一辺には形成されている。
【００３３】
溝部１２９及び突起部１３９は、凹凸形状の嵌合による立ち壁を構成している。
【００３４】
溝部１２９及び突起部１３９は、マイク音孔１２５の外周１ｍｍ程度の箇所に設置する。溝部１２９の深さは、０．８〜０．９ｍｍ、幅は０．４〜０．７ｍｍであることが好ましい。
【００３５】
以下、上述のように構成された携帯端末装置１００の送受信動作について説明する。
【００３６】
図２白抜き矢印は、音が電池カバー１３０外側を伝搬するエコー経路を示している。図２破線矢印は、音が電池カバー１３０内側を伝搬する場合のエコー経路を示している。
【００３７】
[音が電池カバー１３０外側を伝搬するエコー経路]
図２白抜き矢印に示すように、スピーカ１５０より発生した通話相手の音声は、背面筐体１２０のスピーカ音孔１２４及び電池カバー１３０の電池カバー音孔１３４を通り、電池カバー１３０の外側を回り込んで電池カバー１３０の底部から背面筐体１２０の下部表面と電池カバー１３０との間の隙間１２７に侵入する。そして、さらに背面筐体１２０のマイク１７０の音孔１２５を通ってマイク１７０に拾われる。
【００３８】
ここで、低減対象の音とは、通話帯域（３００〜３．４ｋＨｚ）を含む可聴音声帯域（２０〜２０ｋＨｚ）の音が対象である。
【００３９】
[音が電池カバー１３０内側を伝搬する場合のエコー経路]
図２破線矢印に示すように、スピーカ１５０より発生した声が背面筐体１２０と電池カバー１３０との間の空間１２８を通りマイク１７０の音孔１２５を通ってマイク１７０に拾われると、通話品質を劣化させるエコーやハウリングが発生しやすい。
【００４０】
本実施の形態では、背面筐体１２０のマイク音孔１２５周囲に凹形状の溝部１２９を形成し、かつ電池カバー１３０に溝部１２９に嵌合する突起部１３９を設けることで、背面筐体１２０と電池カバー１３０との間の空間１２８を通る音を減衰させる。これにより、スピーカ１５０からマイク１７０まで、電池カバー１３０内側を伝搬する場合のエコーを低減することができ、通話時のエコー発生を抑制することができる。
【００４１】
以上詳細に説明したように、携帯端末装置１００は、背面筐体１２０と、背面筐体１２０の背面の全面を覆う電池カバー１３０と、を備え、背面筐体１２０の背面にマイク１７０の音孔１２５とスピーカ１５０のスピーカ音孔１２４とが同一面で配置される。背面筐体１２０は、マイク１７０の音孔１２５の周囲の、少なくともスピーカ１５０側に、凹形状の溝部１２９を備え、電池カバー１３０は、溝部１２９に嵌合する凸形状の突起部１３９を備える。
【００４２】
この構成によれば、マイク音孔１２５周囲に形成された溝部１２９及び突起部１３９が、スピーカ１５０からマイク１７０まで、電池カバー１３０内側の空間１２８を伝搬する音を低減するので、通話時のエコーやハウリングの発生を抑制することができる。同様の理由で、電池カバー１３０を伝搬するによる振動による結合に対して、電池カバー１３０の変位量を減衰させることができる。
【００４３】
上記エコー及びハウリングの発生を抑制効果に加えて、さらに以下の効果がある。
【００４４】
本実施の形態では、マイク音孔１２５周囲に形成された溝部１２９及び突起部１３９が、エコー及びハウリング発生を抑制するので、背面筐体１２０自体の、例えば厚みを確保するなどのエコー及びハウリング対策を緩和することができ、端末の薄型化に寄与することができる。背面筐体１２０自体のエコー及びハウリング対策とは、例えば、マイク音孔１２５の天井部分を、背面筐体１２０により構成することである。なお、マイク音孔１２５の天井部分を電池カバー１３０により構成する場合には、背面筐体１２０による天井の厚み分、端末を薄型にすることが可能となる。
【００４５】
本実施の形態では、構成部品を増加することないので、コスト低減を図ることができる。また、実施が容易という利点がある。
【００４６】
また、スピーカ１５０周囲における、背面筐体１２０と電池カバー１３０の形状の変更はないので、この部分に設計変更は生じない利点がある。
【００４７】
（実施の形態２）
図５は、本発明の実施の形態２に係る携帯端末装置の電池カバーを取り付けた状態を示す背面図である。図６は、図５のＡ−Ａ断面図、図７は、図５のＢ−Ｂ断面図、図８は、図５のＣ−Ｃ断面図である。本実施の形態の説明に当り、図１乃至図４と同一構成部分には同一番号を付して重複箇所の説明を省略する。
【００４８】
図５乃至図８に示すように、携帯端末装置２００は、背面筐体１２０のマイク音孔１２５周囲に形成された溝部１２９と、電池カバー１３０に形成され、溝部１２９が嵌合する突起部１３９と、溝部１２９に嵌挿され、突起部１３９により押圧される弾性体２０１と、を有する。
【００４９】
弾性体２０１は、溝部１２９の底部に貼り付けて設置される。弾性体２０１は、例えばポリウレタン系，ポリオレフィン系の発泡体、又はシリコンゴム，エラストマ樹脂などのゴム系が材料として使用可能である。
【００５０】
このように、本実施の形態では、携帯端末装置２００は、背面筐体１２０の溝部１２９に弾性体２０１を嵌挿し、その上から電池カバー１３０の突起部１３９で押圧する構成を採るので、弾性体２０１がエコー及びハウリングを吸収ことで、エコー抑制効果を更に向上させることができる。
【００５１】
また、弾性体２０１は、溝部１２９の底部に貼り付けて設置されるが、このときの組み立て精度は、比較的低くて済む。このため、弾性体２０１の貼り付けは、容易であり、作業性を向上させるという製造上の利点がある。なお、弾性体２０１の貼り付け位置は、使用者の操作により摺動を繰り返す箇所ではないので、摩耗等による劣化は発生しづらい。
【００５２】
（実施の形態３）
図９は、本発明の実施の形態３に係る携帯端末装置の電池カバーを取り付けた状態を示す背面図である。図１０は、図９のＡ−Ａ断面図、図１１は、図９のＢ−Ｂ断面図、図１２は、図９のＣ−Ｃ断面図である。本実施の形態の説明に当り、図１乃至図４と同一構成部分には同一番号を付して重複箇所の説明を省略する。
【００５３】
図９乃至図１２に示すように、携帯端末装置３００は、前面筐体１１０と、背面筐体３２０と、電池カバー３３０と、プリント基板１４０と、スピーカ１５０と、カメラ１６０と、マイク１７０と、を備える。
【００５４】
背面筐体３２０は、プリント基板１４０上に取り付けられた、スピーカ１５０を収容する開口部３２１と、カメラ１６０を収容する開口部３２２と、マイク１７０を収容する開口部３２３と、が形成されている。各開口部３２１，３２２，３２３は、背面筐体３２０の裏面に形成された各部品の外形形状と略同一であり、各部品が隙間なく収容される。
【００５５】
背面筐体３２０には、スピーカ１５０に連通し電池カバー３３０側に開口するスピーカ１５０のスピーカ音孔３２４が形成されている。スピーカ音孔３２４は、図９に示すように、携帯端末装置３００長径方向に長い長方形である。
【００５６】
背面筐体３２０には、マイク１７０の音孔３２５が形成されている。また背面筐体３２０の下部は、底面に向かって開口部３２６が形成されている。このため、背面筐体３２０の下部表面と電池カバー３３０の裏面間には、隙間１２７が画成され、この隙間１２７が、携帯端末装置３００底部から隙間１２７、音孔３２５乃至マイク１７０までの集音経路となる。
【００５７】
電池カバー３３０には、背面筐体３２０のカメラ１６０を収容する開口部３２２と略同一形状の開口部３３２が形成され、開口部３３２は、開口部３２２と、位置、形状及び大きさが対応している。
【００５８】
また、電池カバー３３０には、背面筐体３２０のスピーカ音孔３２４と連通する電池カバー音孔３３４が形成され、電池カバー音孔３３４は、背面筐体３２０と、位置、形状及び大きさが対応している。
【００５９】
このように、携帯端末装置３００は、電池カバー３３０が、背面筐体３２０に対して全面を覆う構成であり、かつ、背面筐体３２０に収容されたスピーカ１５０のスピーカ音孔３２４とマイク１７０のマイク音孔３２５とが同一方向となるように配置されている。すなわち、携帯端末装置３００は、スピーカ１５０の発音方向と、マイク１７０の集音方向とが同一方向に配置されている。
【００６０】
また、背面筐体３２０と電池カバー３３０との間には、空間１２８が形成されている。上記空間１２８は、背面筐体３２０全面を電池カバー３３０で覆う場合、電池や各部品の高さ・収納スペースの不一致及び開閉の余裕度を持たせる必要性から生まれる。
【００６１】
以上の構成において、本実施の形態の特徴は下記の通りである。
【００６２】
背面筐体３２０には、スピーカ音孔３２４周囲に凹形状の溝部３２９が形成されている。また、電池カバー３３０には、溝部３２９に対向する位置に、溝部３２９が嵌合する凸形状の突起部３３９が形成されている。
【００６３】
すなわち、本実施の形態の携帯端末装置３００は、背面筐体３２０に、スピーカ音孔３２４周囲に凹形状の溝部３２９を形成し、電池カバー３３０に、溝部３２９に嵌合する凸形状の突起部３３９を形成することを特徴とする。
【００６４】
本実施の形態では、溝部３２９は、スピーカ音孔３２４周囲を囲むように形成される。溝部３２９に嵌合する突起部３３９についても同様に、溝部３２９に嵌合するように形成される。溝部３２９及び突起部３３９は、少なくともマイク１７０側の一辺には形成されている。
【００６５】
溝部３２９及び突起部３３９は、スピーカ音孔３２４の外周１ｍｍ程度の箇所に設置する。溝部３２９の深さは、０．８〜０．９ｍｍ、幅は０．４〜０．７ｍｍであることが好ましい。
【００６６】
以下、上述のように構成された携帯端末装置３００の送受信動作について説明する。
【００６７】
図１０白抜き矢印は、音が電池カバー３３０外側を伝搬するエコー経路を示している。図１０破線矢印は、音が電池カバー３３０内側を伝搬する場合のエコー経路を示している。
【００６８】
[音が電池カバー３３０外側を伝搬するエコー経路]
音が電池カバー３３０外側を伝搬するエコー経路については、実施の形態１と同様である。
【００６９】
[音が電池カバー３３０内側を伝搬する場合のエコー経路]
図１０波線矢印に示すように、スピーカ１５０より発生した声が背面筐体３２０と電池カバー３３０との間の空間１２８を通りマイク１７０の音孔３２５を通ってマイク１７０に拾われると、通話品質を劣化させるエコーやハウリングが発生しやすい。
【００７０】
本実施の形態では、背面筐体３２０と電池カバー３３０との間の空間を通る音の伝達経路を、背面筐体３２０のスピーカ音孔３２４周囲に凹形状の溝部３２９を形成し、かつ電池カバー３３０に溝部３２９に嵌合する突起部３３９を設けることで、スピーカ音孔３２４周囲で減衰させる。これにより、スピーカ１５０からマイク１７０まで、電池カバー３３０内側を伝搬する場合のエコーを低減することができ、通話時のエコー発生を抑制することができる。同様の理由で、電池カバー３３０を伝搬するによる振動による結合に対して、電池カバー３３０の変位量を減衰させることができ、通話時のエコーやハウリングの発生を抑制することができる。
【００７１】
本実施の形態では、音の発生源により近いスピーカ音孔３２４周囲に溝部３２９及び突起部３３９を設けているので、音及び振動が電池カバー３３０に伝搬する前に、減衰させることができる。ハウリングの発生をより抑制することができる効果が期待できる。また、マイク１７０周囲における、背面筐体３２０と電池カバー３３０の形状の変更はないので、この部分に設計変更は生じない利点がある。
【００７２】
（実施の形態４）
図１３は、本発明の実施の形態４に係る携帯端末装置の電池カバーを取り付けた状態を示す背面図である。図１４は、図１３のＡ−Ａ断面図、図１５は、図１３のＢ−Ｂ断面図、図１６は、図１３のＣ−Ｃ断面図である。本実施の形態の説明に当り、図９乃至図１２と同一構成部分には同一番号を付して重複箇所の説明を省略する。
【００７３】
図１３乃至図１６に示すように、携帯端末装置４００は、背面筐体３２０のスピーカ音孔３２４周囲に形成された溝部３２９と、電池カバー３３０に形成され、溝部３２９が嵌合する突起部３３９と、溝部３２９に嵌挿され、突起部３３９により押圧される弾性体４０１と、を有する。
【００７４】
弾性体４０１は、例えばポリウレタン系，ポリオレフィン系の発泡体、又はシリコンゴム，エラストマ樹脂などのゴム系が材料として使用可能である。
【００７５】
このように、本実施の形態では、携帯端末装置４００は、背面筐体３２０の溝部３２９に弾性体４０１を嵌挿し、その上から電池カバー３３０の突起部３３９で押圧する構成を採るので、弾性体４０１がエコー及びハウリングを吸収ことで、エコー抑制効果を更に向上させることができる。
【００７６】
（実施の形態５）
図１７は、本発明の実施の形態５に係る携帯端末装置の電池カバーを取り付けた状態を示す背面図である。図１８は、図１７のＡ−Ａ断面図、図１９は、図１７のＢ−Ｂ断面図、図２０は、図１７のＣ−Ｃ断面図である。本実施の形態の説明に当り、図１乃至図１６と同一構成部分には同一番号を付して重複箇所の説明を省略する。
【００７７】
図１７乃至図２０に示すように、携帯端末装置５００は、前面筐体１１０と、背面筐体５２０と、電池カバー５３０と、プリント基板１４０と、スピーカ１５０と、カメラ１６０と、マイク１７０と、を備える。
【００７８】
背面筐体５２０は、プリント基板１４０上に取り付けられた、スピーカ１５０を収容する開口部５２１と、カメラ１６０を収容する開口部５２２と、マイク１７０を収容する開口部５２３と、が形成されている。各開口部５２１，５２２，５２３は、背面筐体５２０の裏面に形成された各部品の外形形状と略同一であり、各部品が隙間なく収容される。
【００７９】
背面筐体５２０には、スピーカ１５０に連通し電池カバー５３０側に開口するスピーカ１５０のスピーカ音孔５２４が形成されている。スピーカ音孔５２４は、図１７に示すように、携帯端末装置５００長径方向に長い長方形である。
【００８０】
背面筐体５２０には、マイク１７０の音孔５２５が形成されている。また背面筐体５２０の下部は、底面に向かって開口部５２６が形成されている。このため、背面筐体５２０の下部表面と電池カバー５３０の裏面間には、隙間１２７が画成され、この隙間１２７が、携帯端末装置５００底部から隙間１２７、音孔５２５乃至マイク１７０までの集音経路となる。
【００８１】
電池カバー５３０には、背面筐体５２０のカメラ１６０を収容する開口部５２２と略同一形状の開口部５３２が形成され、開口部５３２は、開口部５２２と、位置、形状及び大きさが対応している。
【００８２】
また、電池カバー５３０には、背面筐体５２０のスピーカ音孔５２４と連通する電池カバー音孔５３４が形成され、電池カバー音孔５３４は、背面筐体５２０と、位置、形状及び大きさが対応している。
【００８３】
このように、携帯端末装置５００は、電池カバー５３０が、背面筐体５２０に対して全面を覆う構成であり、かつ、背面筐体５２０に収容されたスピーカ１５０のスピーカ音孔５２４とマイク１７０のマイク音孔５２５とが同一方向となるように配置されている。すなわち、携帯端末装置５００は、スピーカ１５０の発音方向と、マイク１７０の集音方向とが同一方向に配置されている。
【００８４】
また、背面筐体５２０と電池カバー５３０との間には、空間１２８が形成されている。上記空間１２８は、背面筐体５２０全面を電池カバー５３０で覆う場合、電池や各部品の高さ・収納スペースの不一致及び開閉の余裕度を持たせる必要性から生まれる。
【００８５】
以上の構成において、本実施の形態の特徴は下記の通りである。
【００８６】
本実施の形態は、実施の形態１と実施の形態３とを組み合わせたものである。
【００８７】
背面筐体５２０には、マイク音孔５２５周囲に凹形状の溝部５２９が形成されている。また、電池カバー５３０には、溝部５２９に対向する位置に、溝部５２９が嵌合する凸形状の突起部５３９が形成されている。
【００８８】
さらに、背面筐体５２０には、スピーカ音孔５２４周囲に凹形状の溝部５４９が形成されている。また、電池カバー５３０には、溝部５４９に対向する位置に、溝部５５９が嵌合する凸形状の突起部５５９が形成されている。
【００８９】
したがって、実施の形態１と実施の形態３とを組み合わせた効果を得ることができ、通話時のエコーやハウリングの発生をより一層効果的に抑制することができる。
【００９０】
さらに、相乗効果として、以下の効果がある。
【００９１】
マイク音孔５２５周囲の溝部５２９及び突起部５３９により、エコーやハウリングの発生が低減されるので、同様の目的を有するスピーカ１５０周囲の溝部５４９及び突起部５５９の凹凸形状をより軽減することができる。上記軽減とは、凹部の深さを浅くする、凹部の幅を狭くする、スピーカ１５０周囲を囲む辺数を減らす、である。同様に、スピーカ音孔５２４周囲の溝部５４９及び突起部５５９により、マイク音孔５２５周囲の溝部５２９及び突起部５３９の凹凸形状をより軽減することができる。
【００９２】
（実施の形態６）
図２１は、本発明の実施の形態６に係る携帯端末装置の電池カバーを取り付けた状態を示す背面図である。図２２は、図２１のＡ−Ａ断面図、図２３は、図２１のＢ−Ｂ断面図、図２４は、図２１のＣ−Ｃ断面図である。本実施の形態の説明に当り、図９乃至図１２と同一構成部分には同一番号を付して重複箇所の説明を省略する。
【００９３】
図２１乃至図２４に示すように、携帯端末装置６００は、前面筐体１１０と、背面筐体６２０と、電池カバー６３０と、プリント基板１４０と、スピーカ１５０と、カメラ１６０と、マイク１７０と、を備える。
【００９４】
背面筐体６２０は、プリント基板１４０上に取り付けられた、スピーカ１５０を収容する開口部６２１と、カメラ１６０を収容する開口部６２２と、マイク１７０を収容する開口部６２３と、が形成されている。各開口部６２１，６２２，６２３は、背面筐体６２０の裏面に形成された各部品の外形形状と略同一であり、各部品が隙間なく収容される。
【００９５】
背面筐体６２０には、スピーカ１５０に連通し電池カバー６３０側に開口するスピーカ１５０のスピーカ音孔６２４が形成されている。スピーカ音孔６２４は、図２１に示すように、携帯端末装置６００長径方向に長い長方形である。
【００９６】
背面筐体６２０には、マイク１７０の音孔６２５が形成されている。また背面筐体６２０の下部は、底面に向かって開口部６２６が形成されている。このため、背面筐体６２０の下部表面と電池カバー６３０の裏面間には、隙間１２７が画成され、この隙間１２７が、携帯端末装置６００底部から隙間１２７、音孔６２５乃至マイク１７０までの集音経路となる。
【００９７】
電池カバー６３０には、背面筐体６２０のカメラ１６０を収容する開口部６２２と略同一形状の開口部６３２が形成され、開口部６３２は、開口部６２２と、位置、形状及び大きさが対応している。
【００９８】
また、電池カバー６３０には、背面筐体６２０のスピーカ音孔６２４と連通する電池カバー音孔６３４が形成され、電池カバー音孔６３４は、背面筐体６２０と、位置、形状及び大きさが対応している。
【００９９】
このように、携帯端末装置６００は、電池カバー６３０が、背面筐体６２０に対して全面を覆う構成であり、かつ、背面筐体６２０に収容されたスピーカ１５０のスピーカ音孔６２４とマイク１７０のマイク音孔６２５とが同一方向となるように配置されている。すなわち、携帯端末装置６００は、スピーカ１５０の発音方向と、マイク１７０の集音方向とが同一方向に配置されている。
【０１００】
また、背面筐体６２０と電池カバー６３０との間には、空間１２８が形成されている。上記空間１２８は、背面筐体６２０全面を電池カバー６３０で覆う場合、電池や各部品の高さ・収納スペースの不一致及び開閉の余裕度を持たせる必要性から生まれる。
【０１０１】
以上の構成において、本実施の形態の特徴は下記の通りである。
【０１０２】
図２３に示すように、背面筐体６２０には、スピーカ音孔６２４のカメラ１６０側以外の周囲に凹形状の第１溝部６２９が形成されると共に、スピーカ音孔６２４のカメラ１６０側の周囲に凹形状の第２溝部６４９が形成される。また、電池カバー６３０には、第１溝部６２９に対向する位置に、第１溝部６２９が嵌合する凸形状の第１突起部６３９が形成されると共に、第２溝部６４９に対向する位置に、第２溝部６４９が嵌合する凸形状の第２突起部６５９が形成される。
【０１０３】
すなわち、携帯端末装置６００は、背面筐体６２０に、スピーカ音孔６２４のカメラ１６０側以外の周囲に凹形状の第１溝部６２９及び第２溝部６４９を形成し、電池カバー６３０に、第１溝部６２９及び第２溝部６４９に嵌合する凸形状の第１突起部６３９及び第２突起部６５９を形成することを特徴とする。
【０１０４】
本実施の形態では、カメラ１６０側に隣接する第２溝部６４９は、カメラ１６０側以外の第１溝部６２９より、凹部の深さが深い。これに伴い、第２溝部６４９に嵌合する第２突起部６５９は、第１溝部６２９に嵌合する第１突起部６３９より、凸部の長さが長い。したがって、スピーカ１５０のスピーカ音孔６２４に隣接する開口部（ここではカメラ１６０を収容する開口部６２２）側は、スピーカ音孔６２４の他の周囲より、より効果的に遮蔽されている。
【０１０５】
このように、本実施の形態では、スピーカ音孔６２４の発音方向に対して、スピーカ音孔６２４以外の開口部６３２がある場合であっても、音量の劣化と歪みの発生を抑制することができ、良好な音響性能を確保することができる。
【０１０６】
特に、カメラ１６０側に隣接する第２溝部６４９は、カメラ１６０側以外の第１溝部６２９より、凹部の深さが深いので、スピーカ音孔６２４以外の開口部６３２に因る影響を低減することができ、音量の劣化と歪みの発生を抑制することができる。その結果、良好な音響性能を確保することができる。
【０１０７】
なお、本実施の形態では、スピーカ音孔６２４に隣接する開口部として、カメラ１６０の開口部６２２を例に説明したが、スピーカ音孔６２４に隣接する開口部であれば、どのような開口部でもよい。例えば、ＬＥＤ用開口部が挙げられる。
【０１０８】
また、本実施の形態では、スピーカ音孔６２４に隣接する開口部を、より効果的に遮蔽する方法として、溝部を深くする例を示したが、溝部の幅を大きくする、段階的に形成する、あるいは、これらの組み合わせでもよい。また、実施の形態４のように弾性体を嵌挿してもよい。
【０１０９】
以上の説明は本発明の好適な実施の形態の例証であり、本発明の範囲はこれに限定されることはない。
【０１１０】
上記実施の形態では、携帯端末装置として携帯電話機の携帯端末に適用した例について説明しているが、携帯電話機に限らずＰＤＡ等の携帯情報端末、パーソナルコンピュータ又はその融合された装置、さらにはＭＰ３プレーヤー、ＨＤＤプレーヤーなどの携帯機器に適用可能である。
【０１１１】
また、上記実施の形態では携帯端末装置、携帯電話機という名称を用いたが、これは説明の便宜上であり、携帯端末、エコー抑制構造、電子機器等であってもよいことは勿論である。
【０１１２】
さらに、上記携帯端末装置を構成する各部、例えば筐体、電池カバーの種類・材質、その形状及び取付方法などはどのようなものでもよい。また、電池カバーはスライド止めが一般的であるが、これには限定されない。
【産業上の利用可能性】
【０１１３】
本発明に係る携帯端末装置は、エコーやハウリングの発生を抑制して良好な通話性能を実現する携帯端末装置を提供できまた、携帯端末装置として携帯端末以外の各種電子機器に組み込むことも可能である。
【符号の説明】
【０１１４】
１００，２００，３００，４００，５００，６００  携帯端末装置
１１０  前面筐体
１２０，３２０，４２０，５２０，６２０  背面筐体
１２４，３２４，５２４，６２４  スピーカ音孔
１２５，３２５，５２５，６２５  音孔
１２９，３２９，５２９  溝部
１３０，３３０，４３０，５３０，６３０  電池カバー
１３９，３３９，５３９  突起部
１４０  プリント基板
１５０  スピーカ
１６０  カメラ
１７０  マイク
２０１，４０１  弾性体
６２９  第１溝部
６３９  第１突起部
６４９  第２溝部
６５９  第２突起部
【図１】
2012195835.tif 000003
【図２】
2012195835.tif 000004
【図３】
2012195835.tif 000005
【図４】
2012195835.tif 000006
【図５】
2012195835.tif 000007
【図６】
2012195835.tif 000008
【図７】
2012195835.tif 000009
【図８】
2012195835.tif 000010
【図９】
2012195835.tif 000011
【図１０】
2012195835.tif 000012
【図１１】
2012195835.tif 000013
【図１２】
2012195835.tif 000014
【図１３】
2012195835.tif 000015
【図１４】
2012195835.tif 000016
【図１５】
2012195835.tif 000017
【図１６】
2012195835.tif 000018
【図１７】
2012195835.tif 000019
【図１８】
2012195835.tif 000020
【図１９】
2012195835.tif 000021
【図２０】
2012195835.tif 000022
【図２１】
2012195835.tif 000023
【図２２】
2012195835.tif 000024
【図２３】
2012195835.tif 000025
【図２４】
2012195835.tif 000026
【手続補正書】
【提出日】平成24年7月18日(2012.7.18)
【手続補正１】
【補正対象書類名】明細書
【補正対象項目名】００１１
【補正方法】変更
【補正の内容】
【００１１】
本発明の携帯端末装置は、マイクおよびスピーカを収容する筐体と、前記筐体に着脱可能に構成され、前記マイクの入力部と前記スピーカの出力部とを含む前記筐体の背面を覆うカバーと、を備え、前記カバーは、前記筐体に装着されると、前記筐体との間に空隙を有し、前記筐体の背面には、前記マイクの入力部と前記スピーカの出力部とを結ぶ直線と交差する凹部が形成され、前記カバーには、前記凹部に嵌合して、前記空隙を塞ぐ凸部が形成され、前記カバーは、前記凹部と前記凸部との嵌合方向と同一の方向に移動させて、前記筐体へ装着可能である、構成を採る。
【手続補正２】
【補正対象書類名】特許請求の範囲
【補正対象項目名】全文
【補正方法】変更
【補正の内容】
【特許請求の範囲】
【請求項１】
マイクおよびスピーカを収容する筐体と、
前記筐体に着脱可能に構成され、前記マイクの入力部と前記スピーカの出力部とを含む前記筐体の背面を覆うカバーと、を備え、
前記カバーは、前記筐体に装着されると、前記筐体との間に空隙を有し、
前記筐体の背面には、前記マイクの入力部と前記スピーカの出力部とを結ぶ直線と交差する凹部が形成され、
前記カバーには、前記凹部に嵌合して、前記空隙を塞ぐ凸部が形成され、
前記カバーは、前記凹部と前記凸部との嵌合方向と同一の方向に移動させて、前記筐体へ装着可能である、
携帯端末装置。
【請求項２】
マイクとスピーカを収容するとともに、前記マイクの音孔と前記スピーカの音孔が共に同一方向に形成された筐体と、
前記筐体に着脱可能に構成され、前記マイクの音孔と前記スピーカの音孔とを含む前記筐体の背面を覆うカバーと、を備え、
前記カバーは、前記筐体に装着されると、前記マイクの音孔と前記スピーカの音孔との間に空隙を有し、
前記筐体の背面には、少なくとも前記マイクの音孔と前記スピーカの音孔とを結ぶ直線と交差する凹部が形成され、
前記カバーには、前記凹部に嵌合して、前記空隙を塞ぐ凸部が形成され、
前記カバーは、前記凹部と前記凸部との嵌合方向と同一の方向に移動させて、前記筐体へ装着可能である、
携帯端末装置。
【請求項３】
前記カバーの周縁には、前記筐体側へ張り出した張出部が設けられ、
前記カバーは、前記張出部が前記筐体の後方周縁に被さって、前記筐体へ装着される、
請求項１または２記載の携帯端末装置。
【請求項４】
前記筐体は、前記凹部に埋設された弾性体を備え、
前記カバーを装着する際、前記凸部は、前記弾性体を押圧しながら前記凹部に嵌合する、
請求項１または２記載の携帯端末装置。
【請求項５】
前記マイクの音孔が形成された側の端部において、前記カバーと前記筐体の背面との間で形成される隙間により外部へ連通する開口が形成され、  
前記凹部および前記凸部は、前記マイクの音孔の周囲において前記筐体の端部側を除く三辺で形成され、前記開口から前記マイクの音孔、前記マイクまでが集音経路となる、
請求項２記載の携帯端末装置。
【請求項６】
前記凹部は、前記スピーカの音孔を囲うように形成される、請求項２記載の携帯端末装置。
【請求項７】
前記カバーは、電池を覆う電池カバーである、請求項１または２記載の携帯端末装置。